【手続補正書】
【提出日】平成23年1月7日(2011.1.7)
【手続補正１】
【補正対象書類名】特許請求の範囲
【補正対象項目名】全文
【補正方法】変更
【補正の内容】
【特許請求の範囲】
【請求項１】
仮想基準デコーダパラメータによりスプライスドビデオストリームを作り出し、又はスプライスドビデオストリームに係る仮想基準デコーダパラメータを受け取って、該仮想基準デコーダパラメータを用いて前記スプライスドビデオストリームを再生するスプライスドビデオストリーム発生器を有し、
前記スプライスドビデオストリームを形成する少なくとも２つのストリームのうちの少なくとも一方のアクセスユニットの出力時間は、前記アクセスユニットリムーバル時間と時間オフセットとに基づいて前の計算から決定され、前記時間オフセットは、dpb_output_delay構文要素及び他の時間オフセットの和に等しく、前記他の時間オフセットは、max_initial_delay構文要素と前記dpb_output_delay構文要素との間の差に等しい、装置。
【請求項２】
前記スプライスドビデオストリームを形成する少なくとも２つのストリームのうちの少なくとも一方のアクセスユニットのリムーバル時間は、前のアクセスユニットのリムーバル時間と時間オフセットとに基づいて前の計算から決定される、請求項１載の装置。
【請求項３】
前記時間オフセットは、ピクチャタイミング付加拡張情報メッセージにあるcpb_removal_delayフィールドで伝達又は受信をされる、請求項２記載の装置。
【請求項４】
前記dpb_output_delay構文要素は、ピクチャタイミング付加拡張情報メッセージから決定される、請求項１記載の装置。
【請求項５】
前記他の時間オフセットは、前記スプライスドビデオストリームをデコードする対応するデコーダで計算される、請求項３又は４記載の装置。
【請求項６】
前記他の時間オフセットは付加拡張情報メッセージから決定される、請求項４記載の装置。
【請求項７】
少なくとも１つの仮想基準デコーダに関連する高レベル構文要素の標準値を変更することによって、スプライスドビデオストリームに関連するデコーダバッファのオーバーフロー状態及びアンダーフロー状態を防ぐよう前記スプライスドビデオストリームを作り出し、又は前記スプライスドビデオストリームに対応する前記少なくとも１つの仮想基準デコーダに関連する高レベル構文要素の変更された前記標準値を受け取って、前記少なくとも１つの仮想基準デコーダに関連する高レベル構文要素の前記変更された標準値を用いて前記スプライスドビデオストリームに関連する前記デコーダバッファのオーバーフロー状態及びアンダーフロー状態を防ぎながら前記スプライスドビデオストリームを再生するスプライスドビデオストリーム発生器を有し、
前記スプライスドビデオストリームは、max_initial_delay構文要素である他の構文要素に基づいて生成又は再生される、装置。
【請求項８】
前記少なくとも１つの仮想基準デコーダに関連する高レベル構文要素は、ピクチャタイミング付加拡張情報メッセージにcpb_removal_delay構文要素を有する、請求項７記載の装置。
【請求項９】
前記少なくとも１つの仮想基準デコーダに関連する高レベル構文要素は、ピクチャタイミング付加拡張情報メッセージにdpb_output_delay構文要素を有する、請求項７記載の装置。
【請求項１０】
前記少なくとも１つの仮想基準デコーダに関連する高レベル構文要素は、バッファリング期間付加拡張情報メッセージにinitial_cpb_removal_delay構文要素を有する、請求項７記載の装置。
【請求項１１】
前記スプライスドビデオストリームは、国際標準化機構（ＩＳＯ）／国際電気標準会議（ＩＥＣ）ＭＰＥＧ−４Ｐａｒｔ１０ＡＶＣ標準／国際電気通信連合電気通信標準化部門（ＩＴＵ−Ｔ）Ｈ．２６４提言に準拠するよう再生される、請求項７記載の装置。
【請求項１２】
仮想基準デコーダパラメータによりスプライスドビデオストリームを作るステップ、又は
スプライスドビデオストリームに係る仮想基準デコーダパラメータを受け取って、該仮想基準デコーダパラメータを用いて前記スプライスドビデオストリームを再生するステップ
を有し、
前記スプライスドビデオストリームを形成する少なくとも２つのストリームのうちの少なくとも一方のアクセスユニットの出力時間は、前記アクセスユニットリムーバル時間と時間オフセットとに基づいて前の計算から決定され、前記時間オフセットは、dpb_output_delay構文要素及び他の時間オフセットの和に等しく、前記他の時間オフセットは、max_initial_delay構文要素と前記dpb_output_delay構文要素との間の差に等しい、
方法。
【請求項１３】
前記スプライスドビデオストリームを形成する少なくとも２つのストリームのうちの少なくとも一方のアクセスユニットのリムーバル時間は、前のアクセスユニットのリムーバル時間と時間オフセットとに基づいて前の計算から決定される、請求項１２載の方法。
【請求項１４】
前記時間オフセットは、ピクチャタイミング付加拡張情報メッセージにあるcpb_removal_delayフィールドで伝達又は受信をされる、請求項１３記載の方法。
【請求項１５】
前記dpb_output_delay構文要素は、ピクチャタイミング付加拡張情報メッセージから決定される、請求項１２記載の方法。
【請求項１６】
前記他の時間オフセットは、前記スプライスドビデオストリームをデコードする対応するデコーダで計算される、請求項１４又は１５記載の方法。
【請求項１７】
前記他の時間オフセットは付加拡張情報メッセージから決定される、請求項１５記載の方法。
【請求項１８】
少なくとも１つの仮想基準デコーダに関連する高レベル構文要素の標準値を変更することによって、スプライスドビデオストリームに関連するデコーダバッファのオーバーフロー状態及びアンダーフロー状態を防ぐ前記スプライスドビデオストリームを作るステップ、又は
前記スプライスドビデオストリームに対応する前記少なくとも１つの仮想基準デコーダに関連する高レベル構文要素の変更された前記標準値を受け取って、前記少なくとも１つの仮想基準デコーダに関連する高レベル構文要素の前記変更された標準値を用いて前記スプライスドビデオストリームに関連する前記デコーダバッファのオーバーフロー状態及びアンダーフロー状態を防ぎながら前記スプライスドビデオストリームを再生するステップ
を有し、
前記スプライスドビデオストリームは、max_initial_delay構文要素である他の構文要素に基づいて生成又は再生される、方法。
【請求項１９】
前記少なくとも１つの仮想基準デコーダに関連する高レベル構文要素は、ピクチャタイミング付加拡張情報メッセージにcpb_removal_delay構文要素を有する、請求項１８記載の方法。
【請求項２０】
前記少なくとも１つの仮想基準デコーダに関連する高レベル構文要素は、ピクチャタイミング付加拡張情報メッセージにdpb_output_delay構文要素を有する、請求項１８記載の方法。
【請求項２１】
前記少なくとも１つの仮想基準デコーダに関連する高レベル構文要素は、バッファリング期間付加拡張情報メッセージにinitial_cpb_removal_delay構文要素を有する、請求項１８記載の方法。
【請求項２２】
前記スプライスドビデオストリームは、国際標準化機構（ＩＳＯ）／国際電気標準会議（ＩＥＣ）ＭＰＥＧ−４Ｐａｒｔ１０ＡＶＣ標準／国際電気通信連合電気通信標準化部門（ＩＴＵ−Ｔ）Ｈ．２６４提言に準拠するよう再生される、請求項１８記載の方法。
【請求項２３】
エンコードをされているビデオ信号データを有する記憶媒体であって、
スプライスドビデオストリームに関連するデコーダバッファのオーバーフロー状態及びアンダーフロー状態を防ぐスプライスドビデオストリームを有し、
前記スプライスドビデオストリームは、少なくとも１つの仮想基準デコーダに関連する高レベル構文要素の標準値を変更することによって作られ、
前記スプライスドビデオストリームは、max_initial_delay構文要素である他の構文要素に基づいて生成又は再生される、記憶媒体。
【請求項２４】
エンコードをされているビデオ信号データを有する記憶媒体であって、
仮想基準デコーダパラメータにより作られるスプライスドビデオストリームを有し、
前記スプライスドビデオストリームを形成する少なくとも２つのストリームのうちの少なくとも一方のアクセスユニットの出力時間は、前記アクセスユニットリムーバル時間と時間オフセットとに基づいて前の計算から決定され、前記時間オフセットは、dpb_output_delay構文要素及び他の時間オフセットの和に等しく、前記他の時間オフセットは、max_initial_delay構文要素と前記dpb_output_delay構文要素との間の差に等しい、記憶媒体。